(57)【要約】 【課題】  シンプルな構成であって、簡単容易且つ迅速な取付け施工が実現できる許りでなく、ビス打ち込みによる外枠の変形も生じず、適正強固に取付け得る点検口の外枠装置を提供する。【解決手段】  外枠３と、外枠３の底部に設けた嵌合部４と、この嵌合部４に嵌脱可能に嵌着する頭部２１に垂下レール２３を備えた固定支柱２と、一端部側の面内に垂下レール２３上を昇降し且つ係止可能な窓孔１３を備えると共に、他端部側に先端１２ａを床８底面に突き当てる弓なり状の引っ掛けアーム１２を備える弓形係止体１とから成る点検口の外枠装置。【選択図】          図１
2012127049.tif 000002
【特許請求の範囲】
【請求項１】
外枠と、外枠の底部に設けた嵌合部と、この嵌合部に嵌脱可能に嵌着する頭部に垂下レールを備えた固定支柱と、一端部側の面内に垂下レール上を昇降し、且つ係止可能な窓孔を備えると共に、他端部側に先端を床底面に突き当てる弓なり状の引っ掛けアームを備える弓形係止体とから成る点検口の外枠装置。
【請求項２】
前記垂下レールは、上部幅を大きくしたテーパ状の矩形平板とし、上記弓形係止体の窓孔は垂下レールの上部幅及び一定厚みに略対応する長方形状の貫通孔として、窓孔を挿通する垂下レールにそって昇降可能であることを特徴とする請求項１記載の点検口の外枠装置。
【請求項３】
前記弓形係止体が垂下レール上を引き上げられ、弓なり状の引っ掛けアームの先端が床底面に突き当るとき、上記窓孔と垂下レールとの嵌合間が係止し、固定支柱に弓形係止体が固定されることを特徴とする請求項１記載の点検口の外枠装置。
【発明の詳細な説明】
【技術分野】
【０００１】
この発明は、例えば床下或いは天井等の点検口の外枠装置に関する。
【背景技術】
【０００２】
図６は、従来の床下点検口の外枠を施工した状態を示している。
この点検口の外枠７は、立上り壁７１と、立上り壁７１の上端を外向きに折り曲げた水平つば７２と、立上り壁７１の下端に連続し内向きに突出する箱状受け部７３とから成る。
【０００３】
床下点検口の施工に際しては、根太８１と床補強材８２と床材８３とで構成される床面８の適所に、点検口用の開口８４が開設される。この開口端面（床面８端面）に上記立上り壁７１を対応させた状態で、水平つば７２を床面８に載せ置く。
【０００４】
ここで、立上り壁７１面内のビス孔７１ａから床材８３に対し、ビス７１ｂを打ち込み、床面８に対し外枠７を額縁状に固定する。一方、床開口に際し切り出した床材を方形状の蓋板８５とし、この蓋板８５の外縁に略断面「コ」の字状の内枠８６を固着して、内枠８６の底面をハコ状受け部７３の上面で支承する。
【特許文献１】特開２００３−１２００１４公報
【発明の開示】
【発明が解決しようとする課題】
【０００５】
従来の床下点検口の外枠では、立上り壁から床端面に対しビス打ちして固定する。このため、このビスを締め付けすぎると、床端面と外枠との間の適正な隙間がなくなり外枠が変形する。
【０００６】
他方、ビスの締め付け強度が十分でないと、ハコ状受け部の下方の支えがないことと相俟って、蓋板にかかる負荷は水平つばの設置面でのみ支承する結果となり、水平つばの設置面が支点となって、外枠は矢印Ｈ方向へ変形する。
【０００７】
仮に、図６の仮想線で示すように、ハコ状受け部７３を支える受け桟８７を別途、根太８１に取付けた場合、外枠の上記変形は解消し得る。しかし、この施工には床面開口寸法の正確性、受け桟の上面高さの正確性が必要であり、作業が極めて煩瑣で、且つ熟練を要する等の不利があった。
【０００８】
この発明は、以上のような課題を解消させ、シンプルな構成であって、簡単容
易且つ迅速な取付け施工が実現できる許かりでなく、外枠の変形も生じず適正強
固に取付け得る点検口の外枠装置を提供することを目的とする。
【課題を解決するための手段】
【０００９】
この目的を達成させるために、この発明の点検口の外枠装置では、次のような構成としている。
点検口の外枠装置は、外枠と、外枠の底部に設けた嵌合部と、この嵌合部に嵌脱可能に嵌着する頭部に垂下レールを備えた固定支柱と、一端部側の面内に垂下レール上を昇降し且つ係止可能な窓孔を備えると共に、他端部側に先端を床底面に突き当てる弓なり状の引っ掛けアームを備える弓形係止体とから成ることを特徴としている。
【発明の効果】
【００１０】
このような構成を有する点検口の外枠装置では、外枠に固定される固定支柱に対し弓形係止体を上昇させ、弓なり状引っ掛けアームの先端を床底面に突き当てた状態で、弓形係止体と固定支柱とを係止させることとしたから、単に固定支柱に対し弓形係止体を上昇させるだけの極めて簡単容易、且つ迅速な操作で、外枠を床面に取付けることができる。
【００１１】
また、取付時、外枠に全く余分な外力が作用しないため、外枠が変形するなどの不利がない許かでなく、適正強固に取付けし得る。更に、弓形係止体の引き上げ（押し上げ）は、床面の厚みに応じて行い得るから、床材厚みにかかわらず施工し得る。
【００１２】
更に、弓形係止体は、弓なりに反っているため、それ自体、弾力性、弾発性を備えている。従って、床材に対する係止力は勿論、固定支柱に対する係止力も強靭で、安全且つ適正に取付けし得る等、発明目的を達成した優れた効果を有する。
【発明を実施するための最良の形態】
【００１３】
以下、図面に基づき本発明に係る点検口の外枠装置の具体的な実施の形態を説明する。
図１は、床下点検口の外枠装置を示す斜視図である。
床下点検口の外枠装置は、外枠３と、外枠３の下部に設ける嵌合部４と、この嵌合部４に嵌脱可能に嵌着固定される固定支柱２と、この固定支柱２に対し昇降し、先端が床材８底面に突き当るとき、固定支柱２に固定される弓形係止体１とから構成される。
【００１４】
外枠３は、例えばアルミ材、ステンレス材等の金属製板体で、床面８に接面上に載置する矩形状の床面載置部３２と、この床面載置部３２の一側片に直角状に連続する垂直部３１と、垂直部３１の下辺に直角状に連続する内枠支承面３３とから成る。
【００１５】
床面載置部３２の内面には、垂直部３１と平行する上側突き当て部３２ａを備えている。また、外枠３の下部すなわち内枠支承面３３の下部には、後述する固定支柱２の頭部が嵌着する嵌合部４が配備してある。
【００１６】
前記嵌合部４は、内枠支承面３３の一側片に直角状に連続する垂直面４３と、内枠支承面３３の他側片、つまり垂直部３１との交点部を外方向へ延長した延長部４１と、延長部４１の先端に直角状に連続する下側突き当て部４２と、突き当て部４２の下端に直交状に連続する受け底面４４とから成る。
【００１７】
上記垂直面４３と受け底面４４との間には、開口面４５が開口してある。また、受け底面４４の先端には上方向（内枠支承面３３方向）へ立ち上がる突条４４ａを設けると共に、垂直面４３の下辺内側に爪４３ａが設けてある。
【００１８】
図２は、固定支柱２と弓形係止体１とを分離した分解斜視図を示す。
固定支柱２は、矩形平板状の頭部２１と、この頭部２１の裏面に突出され、前記開口面４５から下方へ臨出する円板状の回動用臨出部２２と、回動用臨出部２２
の底面に連続する薄板状の垂下レール２３と、垂下レール２３の下部に設けたフ
ック部２４とから成る。
【００１９】
上記垂下レール２３は、頭部２１側が幅広２３ａで、フック部２４側へかけて順次幅狭２３ｂとなるテーパー状（或いは勾配状）に設定してある。上部の幅広部分の幅は、後述する弓形係止体１の長方形状の窓孔１３の長さより僅かに小径に設定してある。
【００２０】
実施の形態では、上記頭部２１は垂下レール２３に対し僅かに時計回り方向へ軸変位させて固定してある。この角度変位により、施工をし直す際など、僅かな反時計回りへの回動で、頭部２１が開口面４３から脱するように設定してある。
【００２１】
上記弓形係止体１は、平板状の金属板で、水平状の翼部１１と弓なりに反った引っ掛けアーム１２とから成る略「Ｔ」字状のバネ板である。略小判形をした翼部１１の面内中央には、矩形の窓孔１３が開口してある。また、引っ掛けアーム１２は翼部１１の下辺中央に連続し、先端１２ａが最上位のポジションを保持する弓なりに反っている。
【００２２】
上記窓孔１３は、細い長方形状の貫通孔で、短辺１３ａが垂下レール２３の厚みより大きく、長辺１３ｂが垂下レール２３の上部幅より、僅かに大に設定してある。従って、フック部２３に窓孔１３を嵌めいれるとき、窓孔１３は垂下レール２３上を昇降する。
【００２３】
更に、引っ掛けアーム１２は、外方向（床面８の裏面方向）へ弓なりに反るように湾曲させてある。また、上記窓孔１３の両側にはガイド突子１４設け、貫通する垂下レール２３の両側面に対応し、引っ掛けアーム１２の昇動動作を円滑にする。
【００２４】
このような構成を有する点検口の外枠装置では、図１で示すように、外枠３の嵌合部４に対し、固定支柱２を取付ける。つまり、頭部２１を、長辺２１ａが受け底面４４の先端（突条４４ａ）に対応する状態で開口面４５に挿入する。
【００２５】
図３で示すように、固定支柱（頭部２１）２を時計回り方向へ回動させると、頭部２１の一方の短辺２１ｄが垂直面４３に接面すると共に、他方の短辺２１ｃが下側突き当て面４２の内面に接面して固定される。つまり、頭部２１が嵌合部４（の溝）に嵌着する。
【００２６】
この状態において、図３で示すように、回動用臨出部２２が開口面４５から下方へ臨出し、且つ垂下レール２３の切り欠き上面２３ｃが受け底面４４の外面に接面している。ここで、弓形係止体１を垂下レール２３に嵌合する。つまり、窓孔１３にフック部２４を通す。これにより、弓形係止体１が固定支柱２に吊下される。
【００２７】
ここにおいて、図４で示すように、外枠３の床面載置部３２を床面８に接面させる。そして、弓形係止体１を上方へ押し上げ、垂下レール２３上を上昇させる。この状態で、引っ掛けアームの先端１２ａが床材８底面に対向している。
【００２８】
図５は、外枠３が床材８に固定される原理説明図である。
引っ掛けアーム１２の長さ中央部を力Ｆで押し上げ、垂下レール２３上を上昇させると、引っ掛けアーム１２の先端１２ａが床材８の底面に突き当る。この状態で、さらに引っ掛けアーム２を押し上げると、弓形係止体１が固定支柱２に固定される。
【００２９】
すなわち、図５で示すように、力Ｆによって、引き上げられた引っ掛けアーム先端１２ａが床材８底面に当たると、この突き当て点Ｃが支点となる。
この状態から更に、引っ掛けアーム１２を引き上げると、引っ掛けアーム１２の窓孔１３の点ａ及び点ｂが垂下レール２３に当たる。ここにおいて、窓孔１３の開口寸法より垂下レ−ル２３の方が大きいため、点ａに内向きの力ｆ１及び点ｂに外向きの力ｆ２が発生する。
【００３０】
そして、引っ掛けアーム１２の引き上げ力をなくすと、引っ掛けアーム１２の反発力によって、点ｃに下方向の力ｆ３、点ｂに内向き下方向の力ｆ４、更に点ａに上向き外方向の力ｆ５へと変化し、点ｃが力点、点ａが支点、そして点ｂが作用点となる。
【００３１】
これにより、引っ掛けアーム１２の点ｂの力ｆ４が、垂下レール３に作用し続ける結果、引っ掛けアーム１２が強固に係止する。
仮に、外枠を持ち上げようとすると、点ｃにｆ３の力が増大し、且つ点ｂのｆ４の力も増大するため、一層保持力が発生し強固に止着される。
【図面の簡単な説明】
【００３２】
【図１】実施の形態の点検口の外枠装置を示す斜視図である。
【図２】固定支柱と弓形係止体を分離させた分離斜視図である。
【図３】外枠装置を示す側面図である。
【図４】外枠装置を床材に取付る状態を示す説明図である。
【図５】外枠装置が床材に固定される状態を示す原理説明図である。
【図６】従来の点検口の外枠装置を示す断面図である。
【符号の説明】
【００３３】
１      弓形係止体
２      固定支柱
３      外枠
４      嵌合部
１１    翼部    
１２    引っ掛けアーム            
１３    窓孔            
１４    ガイド突子
２１    頭部      
２２    回動用臨出部
１ｂ    垂下レール  
２４    フック部
３１    垂直部
３２    床面載置部
３３    内枠支承面
４１    延長部  
４２    突き当て面
４３    垂直面  
４４    開口面  
【図１】
2012127049.tif 000003
【図２】
2012127049.tif 000004
【図３】
2012127049.tif 000005
【図４】
2012127049.tif 000006
【図５】
2012127049.tif 000007
【図６】
2012127049.tif 000008